(57)【特許請求の範囲】
【請求項１】
プリーツが設けられて上下方向に折畳可能となった複数のスクリーン要素（１４，１４’，１６，１６’）を上下方向に連結したものからスクリーン（１２、１２’）を構成し、ヘッドボックス（１０）からスクリーン（１２、１２’）を吊り下げ、ヘッドボックス（１０）から昇降可能に垂下された昇降コード（２２）の一端を最下段のスクリーン要素（１６，１６’）の下端部に接続し、ヘッドボックス（１０）から昇降可能に垂下された開閉用コード（２８，２８’）の一端側を前記スクリーン要素（１４，１４’，１６，１６’）同士の連結部（１８、１８’、１９’）の少なくとも一部に接続したプリーツスクリーンにおいて、
最上段のスクリーン要素（１４，１４’）の上端をヘッドボックス（１０）に対して着脱可能に連結し、該最上段のスクリーン要素（１４，１４’）の上端とヘッドボックス（１０）との連結を解除した状態において、最上段のスクリーン要素（１４，１４’）がヘッドボックス（１０）から吊下げられた状態を維持しつつ、最上段のスクリーン要素（１４，１４’）の上端をヘッドボックス（１０）に対して上下方向に移動可能として最上段のスクリーン要素（１４，１４’）の上端とヘッドボックス（１０）との間を完全開放可能とすることを特徴とするプリーツスクリーン。
【請求項２】
プリーツが設けられて上下方向に折畳可能となった複数のスクリーン要素（１４，１４’，１６，１６’）を上下方向に連結したものからスクリーン（１２、１２’）を構成し、ヘッドボックス（１０）から昇降可能に垂下された昇降コード（２２）の一端を最下段のスクリーン要素（１６’）の下端部に接続し、ヘッドボックス（１０）から昇降可能に垂下された開閉用コード（２８’）の一端側を前記スクリーン要素（１４’，１６’）同士の連結部（１８’，１９’）の少なくとも一部に接続したプリーツスクリーンにおいて、
前記複数のスクリーン要素（１４’、１６’）同士の連結（１８’、１９’）の少なくとも一部を着脱可能な連結とし、連結が解除された下方のスクリーン要素（１４’、１６’）の連結端を上下方向に移動可能とすることを特徴とするプリーツスクリーン。
【発明の詳細な説明】
【０００１】
【発明の属する技術分野】
本発明は、上下方向にプリーツが設けられて折畳可能となった複数のスクリーン要素が連結されたプリーツスクリーンに関する。
【０００２】
【従来の技術】
従来、この種のプリーツスクリーンとしては、例えば、特開平９−３２８９７４号公報または特開平１０−６１３５２号公報に記載されたものがある。
【０００３】
特開平９−３２８９７４号公報に記載されたプリーツスクリーンでは、ヘッドボックスから上部スクリーンを取り付け、上部スクリーンに下部スクリーンを取り付け、ヘッドボックスから昇降可能に垂下する第１の昇降コードの一端を下部スクリーンの下端に取り付けたボトムレールに接続し、ヘッドボックスから昇降可能に垂下する第２の昇降コードの一端を上部スクリーンと下部スクリーンとの間にある中間レールに接続している。第１の昇降コードを操作することによって、ボトムレールが昇降し、下部スクリーンと上部スクリーンとが昇降する。また、第２の昇降コードを操作することによって、中間レールが昇降し、上部スクリーンまたは下部スクリーンのうちの一方が折り畳まれ、他方のスクリーンが露出される。
【０００４】
また、特開平１０−６１３５２号公報に記載されたプリーツスクリーンでは、異なるスクリーン要素をウエイト材を介して上下方向に交互に連続して連結し、ヘッドボックスから昇降可能に垂下する昇降コードを最下段のスクリーン要素の下端に固定されたボトムレールに接続し、ヘッドボックスから昇降可能に垂下する開閉用コードを上から奇数番目のウエイト材に順次接続している。昇降コードを操作することによって、ボトムレールが昇降し、全てのスクリーン要素が昇降する。また、開閉用コードを操作することによって、上から奇数番目のウエイト材が昇降し、奇数番目のスクリーン要素または偶数番目のスクリーン要素のうちの一方が折り畳まれ、他方のスクリーン要素が露出される。
【０００５】
いずれの公報に記載されたプリーツスクリーンにおいても、不透明な生布と半透明の生布とを組み合わせてスクリーンを構成することにより、部分的に、光または視線を遮断する遮蔽機能と、シースルー機能とを併せ持たせることができるという利点を有している。
【０００６】
【発明が解決しようとする課題】
しかしながら、かかる従来のプリーツスクリーンにおいて、窓を完全に開放するためには、昇降コード（第１の昇降コード）を上昇させるしかないが、窓の下部のみを完全に開放させることはできても、窓の上部または中間部のみを完全に開放させたりすることはできない。例えば、長い庇のある窓においては、ひさしの影になる窓の上部は完全に開放し、直接光が入射する窓の下部だけスクリーンを配置したい、という場合等があり、窓の上部または中間部のみを完全に開放したいという要望は多いが、上記従来のプリーツスクリーンでは対応することができない、という問題がある。
【０００７】
本発明はかかる従来の課題に鑑みなされたもので、請求項１ないし請求項２記載の発明は、部分的にスクリーンの完全開放を行うことができるプリーツスクリーンを提供することをその目的とする。
【０００８】
【課題を解決するための手段】
上記目的を達成するために請求項１記載の発明は、プリーツが設けられて上下方向に折畳可能となった複数のスクリーン要素（１４，１４’，１６，１６’）を上下方向に連結したものからスクリーン（１２、１２’）を構成し、ヘッドボックス（１０）からスクリーン（１２、１２’）を吊り下げ、ヘッドボックス（１０）から昇降可能に垂下された昇降コード（２２）の一端を最下段のスクリーン要素（１６，１６’）の下端部に接続し、ヘッドボックス（１０）から昇降可能に垂下された開閉用コード（２８，２８’）の一端側を前記スクリーン要素（１４，１４’，１６，１６’）同士の連結部（１８、１８’、１９’）の少なくとも一部に接続したプリーツスクリーンにおいて、
最上段のスクリーン要素（１４，１４’）の上端をヘッドボックス（１０）に対して着脱可能に連結し、該最上段のスクリーン要素（１４，１４’）の上端とヘッドボックス（１０）との連結を解除した状態において、最上段のスクリーン要素（１４，１４’）がヘッドボックス（１０）から吊下げられた状態を維持しつつ、最上段のスクリーン要素（１４，１４’）の上端をヘッドボックス（１０）に対して上下方向に移動可能として最上段のスクリーン要素（１４，１４’）の上端とヘッドボックス（１０）との間を完全開放可能とすることを特徴とする。
【０００９】
最上段のスクリーン要素の上端をヘッドボックスに対して上下方向に移動させることで、最上段のスクリーン要素の上端とヘッドボックスとの間をスクリーンのない完全開放にすることができる。
【００１１】
最上段のスクリーン要素の上端がヘッドボックスに取り付けている場合には、通常のプリーツスクリーンと同じ使い方ができ、最上段のスクリーン要素の上端がヘッドボックスから取り外された場合には、最上段のスクリーン要素だけが折り畳まれて、プリーツスクリーンの上部を完全に開放することができる。
【００１４】
また、請求項２記載の発明は、プリーツが設けられて上下方向に折畳可能となった複数のスクリーン要素（１４，１４’，１６，１６’）を上下方向に連結したものからスクリーン（１２、１２’）を構成し、ヘッドボックス（１０）から昇降可能に垂下された昇降コード（２２）の一端を最下段のスクリーン要素（１６’）の下端部に接続し、ヘッドボックス（１０）から昇降可能に垂下された開閉用コード（２８’）の一端側を前記スクリーン要素（１４’，１６’）同士の連結部（１８’，１９’）の少なくとも一部に接続したプリーツスクリーンにおいて、
前記複数のスクリーン要素（１４’、１６’）同士の連結（１８’、１９’）の少なくとも一部を着脱可能な連結とし、連結が解除された下方のスクリーン要素（１４’、１６’）の連結端を上下方向に移動可能とすることを特徴とする。
【００１５】
連結が解除された下方のスクリーン要素の連結端を上下方向に移動させ、該下方のスクリーン要素を折り畳むことで、連結が解除されたスクリーン要素同士の間をスクリーンのない完全開放にすることができる。
【００１６】
【発明の実施の形態】
以下、図面を用いて本発明の実施の形態を説明する。図１ないし図３は、本発明の第１の実施形態を表す斜視図、図４ないし図６はその構成を模式的に表す正面図である。
【００１７】
図において、１０はヘッドボックスであり、ヘッドボックス１０からはスクリーン１２が吊り下げられている。スクリーン１２は、プリーツが設けられ上下方向に折畳可能となった上部スクリーン要素１４と下部スクリーン要素１６の２つのスクリーン要素が上下方向に連結されたものからなる。上部スクリーン要素１４と下部スクリーン要素１６との間には中間バー１８があって、これらの要素１４，１６を連結する連結部を構成している。また、下部スクリーン要素１６の下端にはボトムレール２０が取り付けられている。
【００１８】
この例では、上部スクリーン要素１４が半透明、下部スクリーン要素１６が不透明の生布からなっている。勿論、上部スクリーン要素１４を不透明、下部スクリーン要素１６を半透明とすることでもよい。
【００１９】
ヘッドボックス１０からは、幅方向に所定間隔をあけて、複数本の昇降コード２２が昇降可能に垂下しており、各昇降コード２２は上部スクリーン要素１４及び下部スクリーン要素１６の各プリーツ部分ごとにそれぞれ設けられた貫通孔及び中間バー１８に設けられた貫通孔をそれぞれ貫通して、その一端がボトムレール２０に接続されている。また、各昇降コード２２の他端は、ヘッドボックス１０内へと導入されて、操作部２３に接続される。図４に示したように、操作部２３は、ヘッドボックス１０内に収容される回転ドラム２４と、該回転ドラム２４に一体に固定されヘッドボックス１０内を長手方向に伸びる回転軸２５と、回転軸２５の一端に固定されたプーリ２６と、該プーリ２６に巻き掛けられヘッドボックス１０の一端から導出された操作コード２７と、を有しており、昇降コード２２の他端は回転ドラム２４に巻解き、巻取可能に固着されている。操作部２３の操作コード２７を操作して、プーリ２６を介して回転軸２５をどちらかの方向に回転させることによって、回転ドラム２４が、昇降コード２２の巻解きまたは巻取方向に回転し、昇降コード２２の一端が昇降する。
【００２０】
また、ヘッドボックス１０からは、幅方向に所定間隔をあけて、複数本の開閉用コード２８が昇降可能に垂下しており、各開閉用コード２８は、上部スクリーン要素１４の各プリーツ部分ごとにそれぞれ設けられた貫通孔を貫通して、その一端が中間バー１８に接続されている。また、各開閉用コード２８の他端は、ヘッドボックス１０内へと導入され、ヘッドボックス１０内を長手方向に誘導されて、ヘッドボックス１０内に設けられたストッパ２９を介してヘッドボックス１０の他端部から導出されて操作部３２に接続されている。操作部３２を操作して開閉用コード２８の他端側をヘッドボックス１０から引き出せば、開閉用コード２８の一端が上昇し、引き出しを停止すればストッパ２９が作動して開閉用コード２８が停止する。また、操作部３２をやや引っ張ってストッパ２９を解除した後、中間バー１８等の自重により開閉用コード２８の他端側をヘッドボックス１０へ引き込ませれば、開閉用コード２８の一端が下降し、操作部３２を再び引っ張ればストッパ２９が作動して開閉用コード２８が停止する。
【００２１】
上部スクリーン要素１４の上端は、ヘッドボックス１０に対して着脱可能に連結されている。具体的には、上部スクリーン要素１４の上端には連結部を構成する上端バー３４が固着されている。そして、上端バー３４の上面とヘッドボックスの下面のいずれか一方にマグネット３６が設けられており、他方には鉄板のような磁性体板３８が設けられており、常時は、上端バー３４とヘッドボックス１０との間はマグネット３６と磁性体板３８との間の磁力によって連結されている。上端バー３４を下方へ引っ張ることにより、ヘッドボックス１０と上端バー３４との連結は解除されるようになっている。
【００２２】
以上のように構成されるプリーツスクリーンの作用を説明する。
【００２３】
従来のプリーツスクリーンと同様に、操作部３２を操作することによって、開閉用コード２８の一端を昇降させることができ、これによって、中間バー１８が昇降する。中間バー１８を上昇させることにより、上部スクリーン要素１４が折り畳まれ、下部スクリーン要素１６が露出するので、窓は不透明な下部スクリーン要素１６によって覆われ、光や視線を完全に遮蔽する遮蔽状態となる。反対に中間バー１８を下降させることにより、下部スクリーン要素１６が折り畳まれ、上部スクリーン要素１４が露出するので、窓は半透明な上部スクリーン要素１４によって覆われ、光を外部から採り入れることができるシースルー状態となる（図２、図５）。ストッパ２９を作動させて開閉用コード２８を保持することにより、中間バー１８を所望の位置に停止させることができる。
【００２４】
窓の上部からもっと多くの光を採り入れたい場合には、例えば、図１のように中間バー１８が中間の高さにある状態から、上端バー３４とヘッドボックス１０との間の連結を外すと、上部スクリーン要素１４が折り畳まれて、上端バー３４が中間バー１８の方へと下降し、上部がスクリーンのない完全に開放された状態となる（図３、図６）。これによって、光や風を上方から採り入れることができるようになる。特に、庇が長く、窓上部からの直接光や視線が入りにくい窓の場合に、このように上部だけ完全に開放することができると便利である。
【００２５】
上部スクリーン要素１４の上端の上端バー３４は、ヘッドボックス１０との間の連結が外れると下方へ下降するが、中間バー１８があるために、中間バー１８によって下限位置が決まる。従って、中間バー１８の位置を開閉用コード２８で調節することによって、完全開放する面積を調節することができる。
【００２６】
また、窓の下部から完全に開放させたい場合には、例えば図１の状態から従来と同様に、操作コード２７を操作して、回転ドラム２４が昇降コード２２を巻き取る方向へと回転軸２５を回転させて、昇降コード２２の一端を上昇させる。これにより、ボトムレール２０が上昇していき、下部スクリーン要素１６及び上部スクリーン要素１４が順次、折り畳まれる。所望の位置で操作コード２７の操作を停止することで、ボトムレール２０の停止位置より下方を完全に開放することができる。
【００２７】
尚、上端バー３４とヘッドボックス１０との間を着脱可能に連結する例としては、上記磁石と磁性体による連結の他に、図７に示したように、ヘッドボックス１０に所定角度揺動可能に枢着されたレバー４０と、上部スクリーン要素１４の上端に固着されたピン４２とにより連結することができる。ピン４２をレバー４０に引っ掛けまたは取り外すことにより、ヘッドボックス１０と上部スクリーン要素１４とを着脱可能とすることができる。
【００２８】
次に、図８ないし図９は、本発明の参考形態であり、第１の実施形態と同一の部品は同一の符号を付し、その詳細説明は省略する。
【００２９】
この参考形態では、ヘッドボックス１０から幅方向に所定間隔をあけて、複数本の第２開閉用コード４４が昇降可能に垂下しており、各第２開閉用コード４４の一端が、上部スクリーン要素１４の上端バー３４に接続されている。また、第２開閉用コード４４の他端は、ヘッドボックス１０内へと導入され、ヘッドボックス１０内を長手方向に誘導されて、ヘッドボックス１０内に設けられたストッパ４６を介してヘッドボックス１０の一端部から導出されて操作部４８に接続されている。操作部４８を操作して、第２開閉用コード４４の他端をヘッドボックス１０から引き出せば、第２開閉用コード４４の一端が上昇し、引き出しを停止すればストッパ４６が作動して第２開閉用コード４４が停止する。また、操作部４８をやや引っ張ってストッパ４６を解除した後、上端バー３４等の自重により第２開閉用コード４４の他端側をヘッドボックス１０へ引き込ませれば、第２開閉用コード４４の一端が下降し、操作部４８を再び引っ張ればストッパ４６が作動して第２開閉用コード４４が停止する。
【００３０】
このように構成されるプリーツスクリーンでは、常時は第２開閉用コード４４の一端は上昇した位置にあって、上端バー３４はヘッドボックス１０に近接した位置にある。
【００３１】
上部だけ完全に開放したい場合には、操作部４８を操作して、第２開閉用コード４４の一端を下降させることにより、上端バー３４が下降し、上部スクリーン要素１４が折り畳まれ、上部がスクリーンのない完全に開放された状態となる。これによって、光や風を上方から直接採り入れることができるようになる。上端バー３４がヘッドボックス１０と中間バー１８との間の所望の位置になったところで、ストッパ４６を作動させて第２開閉用コード４４を保持することにより、上端バー３４を所望の位置に停止させることができる。
【００３２】
以上のように参考形態によっても第１の実施形態と同様の効果が得られる。
【００３３】
次に、図１０ないし図１３は、本発明の第２の実施形態であり、第１の実施形態と同一の部品は同一の符号を付し、その詳細説明は省略する。
【００３４】
この実施形態では、スクリーン１２’が、スクリーン要素１４’とスクリーン要素１６’とが上下方向に交互に連続して連結されたものからなる。スクリーン要素１４’とスクリーン要素１６’との間には、交互に中間バー１８’、１９’があってこれらの要素１４’，１６’を連結する連結部を構成している。また、スクリーン要素１６’の下端にはボトムレール２０が取り付けられている。この例では、スクリーン要素１４’が半透明、スクリーン要素１６’が不透明の生布からなっている。勿論、スクリーン要素１４’を不透明、スクリーン要素１６’を半透明とすることでもよい。
【００３５】
また、ヘッドボックス１０からは、幅方向に所定間隔をあけて複数本の開閉用コード２８’が昇降可能に垂下しており、各開閉用コード２８’の一端側は、スクリーン要素１４’の各プリーツ部分ごとにそれぞれ設けられた貫通孔を貫通して、上から奇数番目の中間バー１８’に接続され、スクリーン要素１６’の各プリーツ部分ごとにそれぞれ設けられた貫通孔を貫通し、上から偶数番目の中間バー１９’に設けられた貫通孔を貫通し、順次このサイクルを繰り返し、その一端が最下方にある中間バー１８’に接続されている。また、各開閉用コード２８’の他端は、ヘッドボックス１０内へと導入され、ヘッドボックス１０内を長手方向に誘導されて、ヘッドボックス１０内に設けられたストッパ２９を介してヘッドボックス１０の他端部から導出されて操作部３２に接続されている。
【００３６】
最上方にあるスクリーン要素１４’の上端には上端バー３４’が固着されており、第１の実施形態と同様に、ヘッドボックス１０に対して着脱可能に連結されていると共に、上から偶数番目の中間バー１９’は上下の上部中間バー１９’−１と下部中間バー１９’−２とに分離可能となっており、上部中間バー１９’−１と下部中間バー１９’−２の一方にはマグネット３６が設けられており、他方には鉄板のような磁性体板３８が設けられており、常時は、上部中間バー１９’−１と下部中間バー１９’−２との間はマグネット３６と磁性体板３８との間の磁力によって連結されている。下部中間バー１９’−２を下方に引っ張ることにより、上部中間バー１９’−１との連結は解除されるようになっている。
【００３７】
さらに、ヘッドボックス１０からは幅方向に所定間隔をあけて複数本の間隔保持コード５０が昇降可能に垂下しており、各間隔保持コード５０はスクリーン要素１４’の各プリーツ部分ごとにそれぞれ設けられた貫通孔、上から奇数番目の中間バー１８’に設けられた貫通孔、及びスクリーン要素１６’の各プリーツ部分ごとにそれぞれ設けられた貫通孔をそれぞれ貫通して、上から偶数番目の中間バー１９’の上部中間バー１９’−１に接続され、順次このサイクルを繰り返し、その一端がボトムレール２０に接続されている。また、間隔保持コード５０の他端は、ヘッドボックス１０に固定されている。
【００３８】
また、昇降コード２２が設けられているのは、第１の実施形態と同じである。
【００３９】
以上のように構成されるプリーツスクリーンにおいて、従来のプリーツスクリーンと同様に、操作部３２を操作することによって、開閉用コード２８’の一端を昇降させることができ、これによって、奇数番目の中間バー１８’が昇降する。奇数番目の中間バー１８’を上昇させることにより、上から奇数番目のスクリーン要素１４’が折り畳まれ、上から偶数番目のスクリーン要素１６’が露出するので、窓は不透明なスクリーン要素１６’によって覆われ、光や視線を完全に遮蔽する遮蔽状態となる（図１０）。反対に中間バー１８’を下降させることにより、スクリーン要素１６’が折り畳まれ、スクリーン要素１４’が露出するので、窓は半透明なスクリーン要素１４’によって覆われ、光を外部から採り入れることができるシースルー状態となる（図１１）。ストッパ２９を作動させて開閉用コード２８’を保持することにより、中間バー１８’を所望の位置に停止させることができる。
【００４０】
さらに、所望の高さの位置から光を直接採り入れたい場合には、図１１のシースルー状態から、上端バー３４’とヘッドボックス１０との間の連結、またはある中間バー１９’の上部中間バー１９’−１と下部中間バー１９’−２との間の連結を外すと、上端バー３４’と一体となったスクリーン要素１４が折り畳まれて、上端バー３４’がすぐ下にある中間バー１８’の方へと下降し、または下部中間バー１９’−２と一体となったスクリーン要素１４’が折り畳まれて、下部中間バー１９’−２がすぐ下にある中間バー１８’の方へと下降し、スクリーンのない完全に開放された部分ができる。これによって、光や風を上方からまたは任意の高さから採り入れることができるようになる。
【００４１】
上端バー３４’または下部中間バー１９’−２の下限位置は、すぐ下方にある中間バー１８’によって決まるため、中間バー１８’の位置を調節することによって、完全開放面積を調節することができる。
【００４２】
【発明の効果】
以上説明したように、請求項１ないし請求項２記載の発明によれば、プリーツスクリーンの上部または所望の部分を完全に開放することができる。
【００４３】
また、簡単な構成で、通常は、従来と同様のプリーツスクリーンと同じ使い方のみを可能としながら、最上段のスクリーン要素とヘッドボックスの連結、またはスクリーン要素同士の連結を解除することで、プリーツスクリーンの上部または所望の部分を完全に開放することができる。連結が解除された最上段のスクリーン要素または連結が解除された下方のスクリーン要素のみが折り畳まれるので、スクリーン全体の形状を大きく変えることはなく、一部分のみを開放することができる。
【図面の簡単な説明】
【図１】本発明の第１の実施形態に係るプリーツスクリーンを表す斜視図である。
【図２】本発明の第１の実施形態に係るプリーツスクリーンのシースルー状態を表す斜視図である。
【図３】本発明の第１の実施形態に係るプリーツスクリーンの上部だけを完全に開放した状態を表す斜視図である。
【図４】図１のプリーツスクリーンの構成を模式的に表す正面図である。
【図５】図２のプリーツスクリーンの構成を模式的に表す正面図である。
【図６】図３のプリーツスクリーンの構成を模式的に表す正面図である。
【図７】図１の着脱可能な構成の他の例を表す一部正面図であり、（ａ）は上部スクリーン要素１４とヘッドボックス１０が連結された状態、（ｂ）は上部スクリーン要素１４とヘッドボックス１０が取り外された状態を表す図である。
【図８】本発明の参考形態に係るプリーツスクリーンを表す斜視図である。
【図９】図８のプリーツスクリーンの構成を模式的に表す正面図である。
【図１０】本発明の第２の実施形態に係るプリーツスクリーンを表す斜視図であり、遮蔽状態を表す。
【図１１】本発明の第２の実施形態に係るプリーツスクリーンを表す斜視図であり、シースルー状態を表す。
【図１２】本発明の第２の実施形態に係るプリーツスクリーンの上部及び中間部だけを完全に開放した状態を表す斜視図である。
【図１３】図１２のプリーツスクリーンの構成を模式的に表す正面図である。
【符号の説明】
１０  ヘッドボックス
１２、１２’  スクリーン
１４  上部スクリーン要素
１４’  スクリーン要素
１６  下部スクリーン要素
１６’  スクリーン要素
１８、１８’、１９’  中間バー
２２  昇降コード
２８、２８’  開閉用コード
４４  第２開閉用コード
４８  操作部
【図１】
0003583941.tif 000002
【図２】
0003583941.tif 000003
【図３】
0003583941.tif 000004
【図４】
0003583941.tif 000005
【図５】
0003583941.tif 000006
【図６】
0003583941.tif 000007
【図７】
0003583941.tif 000008
【図８】
0003583941.tif 000009
【図９】
0003583941.tif 000010
【図１０】
0003583941.tif 000011
【図１１】
0003583941.tif 000012
【図１２】
0003583941.tif 000013
【図１３】
0003583941.tif 000014